(57)【要約】      （修正有）【課題】単純な構成により体のラインに沿った締付を可能として体にフィットして着用感に優れる、胴部の締付を調節可能とする衣類を提供する。【解決手段】チェスト部Ｘから上腹部Ｙを覆う本体部を有しており、該本体部は前中心部Ｆおよび後中心部において、それぞれ左右に分離可能に縦方向の分離部１Ｃ等を有し、かつ該分離部１Ｃ等に沿う両側縁部に分離部１Ｃ等を挟んで対称となるよう複数個の透孔２を備え、該透孔２に前記分離部１Ｃ等の上端部側および／または下端部側からそれぞれ分離部１Ｃ等を挟んで左右交互に締紐３等を挿通し、両側縁部の略中間部の透孔２より該締紐３等を左右にそれぞれ環状に延出させた上、該締紐３の端部を接合して一つの環状として、両側縁部を連結するとともに、前記環状に延出させた締紐３等を左右に引張ることにより胴部の締付を調節可能とする。【選択図】図１
0003122305.tif 000002
【実用新案登録請求の範囲】
【請求項１】
チェスト部から上腹部を覆う本体部を有しており、該本体部は前中心部および後中心部において、それぞれ左右に分離可能に縦方向の分離部を有し、かつ該分離部に沿う両側縁部に分離部を挟んで対称となるよう複数個の透孔を備え、該透孔に前記分離部の上端部側および／または下端部側からそれぞれ分離部を挟んで左右交互に締紐を挿通し、両側縁部の略中間部の透孔より該締紐を左右にそれぞれ環状に延出させた上、該締紐の端部を接合して一つの環状として、両側縁部を連結するとともに、前記環状に延出させた締紐を左右に引張ることにより胴部の締付を調節可能とする衣類。
【請求項２】
前記透孔を、分離部を挟んで対称となるよう各側縁部に沿って６〜１２個ずつ備える請求項１記載の胴部の締付を調節可能とする衣類。
【請求項３】
本体部における、人体の左右の腹直筋への相対部分の前中心部近傍および脇部側、人体の左右の外腹斜筋への相対部分の両脇部近傍および後脇部近傍、人体の左右の広背筋への相対部分の後中心部近傍に、それぞれ平板状のボーンを略縦方向に取り付けてなる請求項１または２記載の胴部の締付を調節可能とする衣類。
【請求項４】
前記本体部におけるチェスト部の前側上端部から後側上端部につながる肩部を有する請求項１乃至３のいずれか一項に記載の胴部の締付を調節可能とする衣類。
【請求項５】
前記衣類が、ビスチェ、コルセット、ウエストニッパーから選ばれる衣類である請求項１乃至４のいずれか一項に記載の胴部の締付を調節可能とする衣類。
【考案の詳細な説明】
【技術分野】
【０００１】
本考案は、チェスト部から上腹部を覆う本体部を有し、締紐により胴部の締付を調節可能とする衣類である。
【背景技術】
【０００２】
締紐により締付を調節可能とする衣類としては、コルセットあるいはウエストニッパーが一般的である。これらは、通常、左右に分離可能な分離部を有し、該分離部に設けた縦方向に編み上げた紐によって胴部の周径方向に締付け可能としている。
【０００３】
上記の様な衣類としては、前面を開放し、その両側縁部の複数の透孔および一部に掛爪を有する締付環に挿通した締紐と掛爪を掛合するための孔を備えたベルトにより締付を行うコルセット（下記特許文献１参照）、背面を開放し、その両側縁部の複数の透孔に挿通した締紐を中央部の透孔より左右に引き出し、引き出した締紐の端部に互いに掛止めるための掛止具を設けて締付を行うウエストニッパー（下記特許文献２参照）、前面を開放し、締紐を開放部の両側縁部の複数の透孔および鉤子を有する鉤板に設けた透孔に挿通して、鉤子を本体部の周径方向に設けた鉤孔に掛けることにより締付を行うウエストニッパー（下記特許文献３参照）等があるが、いずれも胴部の周径方向の一箇所のみで開放しており、体のラインに沿った調節が困難であった。さらに、締付を重視して締紐以外に各種の部材を用いた複雑な構成となっていた。
【０００４】
背面と前面を開放し、背面の開放部はその両側縁部の複数の透孔に挿通した締紐を設けて連結し、前面の開放部には、その両側縁部に複数の紐掛け止め突起を設けて紐を掛け止めることにより締め付けを行う医療用布コルセットの半製品（下記特許文献４参照）もあるが、実施例にも記載されているように、専門業者が患者の体形に合わせて調節するものであって、使用者本人が簡単に装着し、調節するには困難がある。
【０００５】
また、本体下部に幅拡張布を設け、編み上げ紐等の止着手段により該幅拡張布を広狭調整可能なマタニティ用下着（下記特許文献５参照）は、腹部の膨らみに合わせて単純な編み上げ紐等により本体下部を調整可能にしたもので、胴部全体のラインに沿った調整は困難である。
【特許文献１】実公昭３１−１０９３０公報
【特許文献２】実公昭３０−３５３８公報
【特許文献３】実公昭３１−１１５４４公報
【特許文献４】実公平４−３２０９４公報
【特許文献５】実用新案登録第３１０６９５５号公報
【考案の開示】
【考案が解決しようとする課題】
【０００６】
本考案は、単純な構成により体のラインに沿った締付を可能として体にフィットして着用感に優れる、胴部の締付を調節可能とする衣類を提供することを目的とする。
【課題を解決するための手段】
【０００７】
上記の課題を解決するために、本考案は、次の様な胴部の締付を調節可能とする衣類を提供するものである。
【０００８】
（１）チェスト部から上腹部を覆う本体部を有しており、該本体部は前中心部および後中心部において、それぞれ左右に分離可能に縦方向の分離部を有し、かつ該分離部に沿う両側縁部に分離部を挟んで対称となるよう複数個の透孔を備え、該透孔に前記分離部の上端部側および／または下端部側からそれぞれ分離部を挟んで左右交互に締紐を挿通し、両側縁部の略中間部の透孔より該締紐を左右にそれぞれ環状に延出させた上、該締紐の端部を接合して一つの環状として、両側縁部を連結するとともに、前記環状に延出させた締紐を左右に引張ることにより胴部の締付を調節可能とする衣類。
【０００９】
（２）前記透孔を、分離部を挟んで対称となるよう各側縁部に沿って６〜１２個ずつ備える前記（１）記載の胴部の締付を調節可能とする衣類。
【００１０】
（３）本体部における、人体の左右の腹直筋への相対部分の前中心部近傍および脇部側、人体の左右の外腹斜筋への相対部分の両脇部近傍および後脇部近傍、人体の左右の広背筋への相対部分の後中心部近傍に、それぞれ平板状のボーンを略縦方向に取り付けてなる前記（１）または（２）記載の胴部の締付を調節可能とする衣類。
【００１１】
（４）前記本体部におけるチェスト部の前側上端部から後側上端部につながる肩部を有する前記（１）乃至（３）のいずれか一項に記載の胴部の締付を調節可能とする衣類。
【００１２】
（５）前記衣類が、ビスチェ、コルセット、ウエストニッパーから選ばれる衣類である前記（１）乃至（４）のいずれか一項に記載の胴部の締付を調節可能とする衣類。
【考案の効果】
【００１３】
本考案の胴部の締付を調節可能とする衣類は、上記構成を有するため、簡単に体のラインに沿った締付を可能として体にフィットして着用感に優れ、外観性にも優れる。特に、締紐が環状であるため、締紐の引っ張り具合により自在にチェスト部と上腹部に対応する位置の締め具合を調節でき、さらに紐抜けがなく、便利である。
【考案を実施するための最良の形態】
【００１４】
以下、図面を用いて、本考案を詳細に説明するが、本考案は下記の実施形態に限定されるものではない。
【００１５】
［実施形態１］
図１は、本考案の衣類の一実施形態であるビスチェの構成を示す正面斜視図、図２は、図１のビスチェの背面図である。
【００１６】
図１、２におけるビスチェ１は、チェスト部（図１、２中、符号Ｘに対応する部分）から上腹部（図１、２中、符号Ｙに対応する部分）を覆う本体部を有しており、該本体部は前中心部Ｆおよび後中心部Ｂにおいてそれぞれ左右に分離可能に右半身側見頃１ａと左半身側見頃１ｂから構成され、右半身側見頃１ａと左半身側見頃１ｂの間に縦方向の分離部１ｃ、１ｄを有する。それぞれの分離部１ｃ、１ｄに沿う両側縁部には分離部１ｃ、１ｄを挟んで対称となるよう複数個の透孔２を備える。前中心部Ｆおよび後中心部Ｂのいずれにおいても、透孔２には、分離部１ｃ、１ｄの上端部側からそれぞれ分離部１ｃ、１ｄを挟んで左右交互に締紐３、１３を挿通し、両側縁部の略中間部の透孔２より該締紐３、１３を左右にそれぞれ環状に延出させた上、締紐３、１３の端部をそれぞれ接合して一つの環状として、両側縁部を連結する。図１、２のビスチェ１においては、締紐３、１３を左右にそれぞれ環状に延出した延出部を符号３ａ、３ｂ、１３ａ、１３ｂで示す。締紐３、１３の端部の接合は、例えば、分離部１ｃ、１ｄの上端部側から締紐３、１３を挿通した場合、図１、２中３ｃ、１３ｃで示される位置で行う。上記のような構成とすることにより、前記環状に延出させた締紐３、１３を左右に引張ることにより胴部の締付を調節可能になる。装着方法は、後中心部Ｂの分離部１ｄで適当な間隔を開けた状態で、後中心部側の両側縁部の略中間部より左右にそれぞれ延出させた締紐１３の延出部１３ａ、１３ｂを結び、次に、前中心部Ｆの分離部１ｃを、ビスチェ１を下側から被れるか、あるいは上側から穿ける状態に間隔を開けて身体の当該部位に装着し、前中心部側の両側縁部の略中間部より左右にそれぞれ延出させた締紐３の延出部３ａ、３ｂを引っ張って締紐を締め上げながら、具合の良い状態となったところで上記の前中心部側の締紐延出部３ａ、３ｂを前中心部側で図５に示すように結んで行う。装着具合によっては、さらに、後中心部側の締紐を調節することもできる。なお、締紐の結び方は図５に示すような一般的な結び方で良く、後中心部側においても同様である。締紐３、１３の延出部の上側を引っ張ることでチェスト部対応部分の締付具合を、延出部の下側を引っ張ることで上腹部対応部分の締付具合を自在に調節でき、簡単に体のラインに沿った締付を可能として、体型を補整し、体にフィットさせて着用感を向上させることができる。
【００１７】
図１、２のビスチェ１は、本体部におけるチェスト部の前側上端部から後側上端部につながる肩部４、４を有する。また、本体部における、人体の左右の腹直筋への相対部分の前中心部近傍および脇部側、人体の左右の外腹斜筋への相対部分の両脇部近傍および後脇部近傍、人体の左右の広背筋への相対部分の後中心部近傍に、それぞれ平板状のボーンを略縦方向に取り付けてなる。図６に腹直筋２０の位置を示す体幹部の正面斜視図、図７に外腹斜筋２１の位置を示す体幹部の正面斜視図、図８に広背筋２２の位置を示す体幹部の背面斜視図を示す。なお、図６〜８において、点線は人体の中心線を示す。図１、２のビスチェ１において、人体の左右の腹直筋への相対部分の前中心部近傍にボーン５ａ、５ａ、脇部側にボーン５ｂ、５ｂ、人体の左右の外腹斜筋への相対部分の両脇部近傍にボーン５ｃ、５ｃ（一方は図示されていない。）、後脇部近傍にボーン５ｅ、５ｅ、人体の左右の広背筋への相対部分の後中心部近傍にボーン５ｄ、５ｄが配置されている。本考案においては、ボーンを上記のように人体の特定の筋肉に沿って配置することが、より体のラインに沿った締付を可能として衣類を体にフィットさせることができ、外観も美しくなるため、好適である。なお、図１、２のビスチェは、立体的に造形するために、複数の布地片を、上記ボーン設置箇所の他、接合部６で縫合等により接合して形成されている。
【００１８】
上記実施形態１においては締紐は分離部の上端部側から挿通しているが、分離部の上端部側および下端部側から略中間部に向かって挿通しても良いし、下端部側から挿通しても良い。締紐を挿通する状態により、適当な位置で締紐の端部の接合を行う。
【００１９】
上記実施形態１においては、透孔は、前中心部側の両側縁部に各１０個、後中心部側の両側縁部に各８個形成されているが、本考案においては、透孔を、分離部を挟んで対称となるよう各側縁部に沿って６〜１２個ずつ備えるのが、体のラインに沿った締付を特に容易にし、好適である。
【００２０】
本考案において、上記ボーンの取り付け方法は、通常一般のボーンの取り付け方法と同様に行うことができ、例えば、表地と裏地の縫合により筒状に形成した取り付け箇所にボーンを挿入し、端始末を行う方法が挙げられる。
【００２１】
［実施形態２］
図３、４に考案の衣類の別の実施形態であるビスチェを示す。図３は、本考案の衣類の別の実施形態であるビスチェの構成を示す正面斜視図、図４は、図３のビスチェの背面図である。
【００２２】
図３、４のビスチェは、図１、２のビスチェとボーンの配置及び立体的に造形するための複数の布地片の形状が若干異なるものである。
図３、４において、図１、２のビスチェと同様の構成を有する部分は、同一の符号を用いている。
【００２３】
図３、４のビスチェ１１は、チェスト部（図３、４中、符号Ｘに対応する部分）から上腹部（図３、４中、符号Ｙに対応する部分）を覆う本体部を有しており、該本体部は前中心部Ｆおよび後中心部Ｂにおいてそれぞれ左右に分離可能に右半身側見頃１１ａと左半身側見頃１１ｂから構成され、右半身側見頃１１ａと左半身側見頃１１ｂの間に縦方向の分離部１１ｃ、１１ｄを有する。透孔２および締紐３、１３の構成は図１、２のビスチェと同様である。
【００２４】
図３、４のビスチェ１１においては、図１、２のビスチェと同様に人体の左右の腹直筋への相対部分の前中心部近傍にボーン５ａ、５ａ、人体の左右の外腹斜筋への相対部分の後脇部近傍にボーン５ｅ、５ｅ、人体の左右の広背筋への相対部分の後中心部近傍にボーン５ｄ、５ｄが配置されており、図１、２のビスチェとは若干異なるが、人体の左右の腹直筋への相対部分の脇部側にボーン５ｂ’、５ｂ’、人体の左右の外腹斜筋への相対部分の両脇部近傍にボーン５ｃ’、５ｃ’（一方は図示されていない。）が配置されている。また、立体的に造形するための複数の布地片の形状が図１、２のビスチェと異なる部分は、接合部６’で示している。
【００２５】
本考案において、上記構成以外の衣類の構成は、特に限定されず、その形状、サイズ、本体部や締紐、ボーンの素材、製造方法等は本考案の作用を阻害しない範囲で、通常一般の衣類と同様に構成される。本体部を構成する各布地片には、サテンやサテン調織物などのビスチェに一般に使用される素材の他、伸縮性を有する素材を全体の布地片あるいは一部の布地片に組み合わせて使用しても良い。
【００２６】
本考案の胴部の締付を調節可能とする衣類の実施形態として、具体的には、上記実施形態のようなビスチェの他、コルセット、ウエストニッパーから選ばれる衣類が挙げられるが、本考案の衣類は、本考案の作用を阻害しない範囲で、本体部の下側にスカートなどのボトム部を有しても良く、また、肩部のない構成や、肩部に袖が設けられた構成など、他の構成を有していても良い。肩部の構成も、図１のビスチェのような広幅のものでも、ストラップ状のもの等種々の構成とすることができる。
【産業上の利用可能性】
【００２７】
本考案による胴部の締付を調節可能とする衣類は、簡単に体のラインに沿った締付を可能として体にフィットして着用感に優れ、締め付けを行うための複雑な構成を有さず、外観性にも優れるため、ビスチェなどの胴部にフィットさせる衣類として好適であり、インナーだけでなくアウターとしても使用可能である。
【図面の簡単な説明】
【００２８】
【図１】本考案の衣類の一実施形態であるビスチェの構成を示す正面斜視図。
【図２】図１のビスチェの背面図。
【図３】本考案の衣類の別の実施形態であるビスチェの構成を示す正面斜視図。
【図４】図３のビスチェの背面図。
【図５】図１のビスチェにおいて締紐を結んだ状態を示す正面斜視図。
【図６】腹直筋の位置を示す体幹部の正面斜視図。
【図７】外腹斜筋の位置を示す体幹部の正面斜視図。
【図８】広背筋の位置を示す体幹部の背面斜視図。
【符号の説明】
【００２９】
１  ビスチェ
１ａ  右半身側見頃
１ｂ  左半身側見頃
１ｃ  前中心部側分離部
２  透孔
３  締紐
３ａ、３ｂ  締紐の延出部
３ｃ  締紐の接合部
４  肩部
５ａ、５ｂ、５ｃ  ボーン配置部
６  接合部
Ｆ  前中心部
Ｘ  チェスト部対応部分
Ｙ  上腹部対応部分
【図１】
0003122305.tif 000003
【図２】
0003122305.tif 000004
【図３】
0003122305.tif 000005
【図４】
0003122305.tif 000006
【図５】
0003122305.tif 000007
【図６】
0003122305.tif 000008
【図７】
0003122305.tif 000009
【図８】
0003122305.tif 000010